(57)【特許請求の範囲】
【請求項１】
前二輪型三輪車の前輪もしくは後二輪型三輪車の後輪のそれぞれの二輪のリムに当接自在なブレーキシューを備えたアームから構成される二基のブレーキと、
回転軸を中心に相互に回転自在な二つのてこ片から構成されるてこ部材と、からなり、  てこ部材の回転軸よりも一方側にはブレーキレバーに通じる第一ブレーキワイヤが取り付けられ、回転軸よりも他方側には二基のブレーキにそれぞれ通じる二本の第二ブレーキワイヤが取り付けられている、三輪車のブレーキ機構。
【請求項２】
一方のてこ片における第一ブレーキワイヤ取り付け箇所と回転軸との距離L1、一方のてこ片における第二ブレーキワイヤ取り付け箇所と回転軸との距離L2、のいずれか一方もしくは双方を変更する変更手段がさらに備えてある、請求項１に記載の三輪車のブレーキ機構。
【請求項３】
変更手段は、一方のてこ片に設けられた複数の第一ブレーキワイヤ取り付け箇所、一方のてこ片に設けられた複数の第二ブレーキワイヤ取り付け箇所、のいずれか一方もしくは双方からなる、請求項２に記載の三輪車のブレーキ機構。
【請求項４】
変更手段は、一方のてこ片において、第一ブレーキワイヤ取り付け箇所、第二ブレーキワイヤ取り付け箇所、のいずれか一方もしくは双方をスライドさせるスライド部からなる、請求項２に記載の三輪車のブレーキ機構。
【請求項５】
他方のてこ片には該他方のてこ片に対して相対的に回動自在で二つの腕部を具備する回動部材が備えてあり、
一方のてこ片における二つの第二ブレーキワイヤ取り付け箇所に二基のブレーキに通じる二本の第二ブレーキワイヤのアウターが取り付けられ、それぞれのインナーが回動部材の各腕部に取り付けられている、請求項１に記載の三輪車のブレーキ機構。
【発明の詳細な説明】
【技術分野】
【０００１】
本発明は、前二輪型三輪車の前輪もしくは後二輪型三輪車の後輪を制動する、三輪車のブレーキ機構に関するものである。
【背景技術】
【０００２】
二基の前車輪が並列に配設された前二輪型三輪車は、前後一輪ずつの二輪車に比べて、前二輪の間に積載スペースを設けることができ、また、荷重を前二輪で支持できることから静置状態や低速走行時でもふらつきや横転が抑制でき、ハンドルに前バスケットや幼児シートを取り付けた場合であっても操縦安定性が高いといった利点を有している。さらに、路面が傾斜している等の場合であっても停車した状態で倒れ難いこと、直進性能に優れ、スピードを出し易いこと、カーブでの小回りが利き、安定して曲がれること、などの利点も備えている。
【０００３】
前二輪型三輪車の場合は、左右のブレーキレバーの一方が前二輪用のブレーキレバーとなり、他方が後輪用のブレーキレバーとなっており、後二輪型三輪車の場合は、左右のブレーキレバーの一方が後二輪用のブレーキレバーとなり、他方が前輪用のブレーキレバーとなっている。
【０００４】
ここで、特許文献１には、三輪自転車用のブレーキ装置にかかる技術が開示されている。具体的には、後二輪のそれぞれのブレーキを作動させる左右の後輪ブレーキワイヤがバランス駒を介して主後輪ブレーキワイヤに接続された三輪自転車のブレーキ装置において、バランス駒と左右の後輪ブレーキワイヤのアウターとの間にストッパを固設したものである。この構成により、左右の後輪ブレーキワイヤのアウターに対するインナーのストロークの調整を、バランス駒をストッパに当接させた状態で簡便かつ正確に均等に調整することが可能になるとしている。
【０００５】
特許文献１で開示されるバランス駒は「やじろべい」と称されることもある。ところで、乗員がブレーキレバーを引いた際に感じる負荷は乗員の握力によって相違することから、ブレーキレバーを引いた際の負荷が一律である従来の三輪車では、負荷が大き過ぎると感じる乗員もいれば、逆に負荷が少な過ぎると感じる乗員もいる。
【０００６】
したがって、ブレーキレバーを引いた際に受ける負荷が乗員に応じて容易に設定可能なブレーキ機構の開発が望まれるものの、たとえば特許文献１で開示されるバランス駒を具備する機構ではこのように負荷を容易に設定することは難しい。
【先行技術文献】
【特許文献】
【０００７】
【特許文献１】特開２００５−０６７５５８号公報
【発明の概要】
【発明が解決しようとする課題】
【０００８】
本発明は上記する問題に鑑みてなされたものであり、ブレーキレバーを引いた際に受ける負荷を容易に設定することのできる三輪車のブレーキ機構を提供することを目的とする。
【課題を解決するための手段】
【０００９】
前記目的を達成すべく、本発明による三輪車のブレーキ機構は、前二輪型三輪車の前輪もしくは後二輪型三輪車の後輪のそれぞれの二輪のリムに当接自在なブレーキシューを備えたアームから構成される二基のブレーキと、回転軸を中心に相互に回転自在な二つのてこ片から構成されるてこ部材と、からなり、てこ部材の回転軸よりも一方側にはブレーキレバーに通じる第一ブレーキワイヤが取り付けられ、回転軸よりも他方側には二基のブレーキにそれぞれ通じる二本の第二ブレーキワイヤが取り付けられているものである。
【００１０】
本発明の三輪車のブレーキ機構は、前二輪型三輪車の前輪もしくは後二輪型三輪車の後輪のそれぞれの二輪を制動する機構として、てこの原理を用いたてこ部材を適用したことにより、ブレーキ操作の際に乗員が受ける負荷を所望に設定することを可能としたものである。
【００１１】
より具体的には、てこ部材において、回転軸を中心に相互に反対側にあるブレーキレバーに通じる第一のブレーキワイヤ取り付け箇所とブレーキに通じる第二のブレーキワイヤ取り付け箇所のいずれか一方の位置もしくは双方の位置を所望に設定することで、所望するブレーキ操作時の負荷に設定可能となる。
【００１２】
また、本発明による自転車のブレーキ機構の好ましい実施の形態は、一方のてこ片における第一ブレーキワイヤ取り付け箇所と回転軸との距離L1、一方のてこ片における第二ブレーキワイヤ取り付け箇所と回転軸との距離L2、のいずれか一方もしくは双方を変更する変更手段がさらに備えてあるものである。
【００１３】
本実施の形態のブレーキ機構は、ブレーキレバーもしくはブレーキに通じるワイヤのてこ部材への取り付け箇所を変更する変更手段を具備することにより、ブレーキレバーを引いた際に受ける負荷を自在に変更することを可能としたものである。
【００１４】
てこの原理により、ブレーキレバーに通じる第一のブレーキワイヤ取り付け箇所と回転軸との距離L1を長くしたり、あるいはブレーキに通じる第二のブレーキワイヤ取り付け箇所と回転軸との距離L2を短くすることで乗員が受ける負荷は小さくなる。逆に、距離L1を短くしたり、距離L2を長くすることで乗員が受ける負荷は大きくなる。
【００１５】
ここで、てこ部材の実施の形態として、たとえば二種類の形態を挙げることができる。
【００１６】
変更手段の一つの形態は、一方のてこ片に設けられた複数の第一ブレーキワイヤ取り付け箇所、一方のてこ片に設けられた複数の第二ブレーキワイヤ取り付け箇所、のいずれか一方もしくは双方からなる形態である。
【００１７】
回転軸の一方側に複数の第一のブレーキワイヤ取り付け箇所が設けられ、回転軸の他方側に複数の第二のブレーキワイヤ取り付け箇所が設けられていることで、たとえば距離L1が最も長くなる取り付け箇所に第一のブレーキワイヤを取り付け、距離L2が最も短くなる取り付け箇所に第二のブレーキワイヤを取り付けることで、乗員に作用する負荷は最小になる。一方、距離L1が最も短くなる取り付け箇所に第一のブレーキワイヤを取り付け、距離L2が最も長くなる取り付け箇所に第二のブレーキワイヤを取り付けることで、乗員に作用する負荷は最大になる。
【００１８】
各取り付け箇所の中から、乗員にとって最適な負荷となる取り付け箇所に第一のブレーキワイヤと第二のブレーキワイヤを取り付けることで、快適なブレーキ操作を実現できる。また、他の乗員が三輪車を使用する際には、当該他の乗員に好ましい負荷となるように各ブレーキワイヤの取り付け箇所を変更すればよい。
【００１９】
また、変更手段の他の形態は、一方のてこ片において、第一ブレーキワイヤ取り付け箇所、第二ブレーキワイヤ取り付け箇所、のいずれか一方もしくは双方をスライドさせるスライド部からなる形態である。
【００２０】
本実施の形態の変更手段は、各ブレーキワイヤ取り付け箇所を複数設けておく代わりに、各ブレーキワイヤ取り付け箇所がスライド自在に構成され、回転軸からの距離の変更を各ブレーキワイヤ取り付け箇所がスライドすることで実行するものである。
【００２１】
この変更手段によれば、スライド部を徐々に移動させることにより、ブレーキ操作の際の負荷の微妙な調整も実行可能になる。
【００２２】
また、本発明による自転車のブレーキ機構の好ましい実施の形態は、他方のてこ片には該他方のてこ片に対して相対的に回動自在で二つの腕部を具備する回動部材が備えてあり、一方のてこ片における二つの第二ブレーキワイヤ取り付け箇所に二基のブレーキに通じる二本の第二ブレーキワイヤのアウターが取り付けられ、それぞれのインナーが回動部材の各腕部に取り付けられているものである。
【００２３】
前二輪型もしくは後二輪型の三輪車においては左右二基のブレーキが同時に作動するのが望ましいものの、自転車の使用過程において一方のブレーキが相対的に緩んでしまい、他方のブレーキのみが最初に利いてしまうといった問題が生じ得る。
【００２４】
本実施の形態のブレーキ機構は、このように一方のブレーキワイヤのみが引かれた際に、自動的に他方のブレーキワイヤも引き、左右のブレーキワイヤの引き量を自動的（自然に）に同程度に調整する（左右のブレーキのばらつきを吸収する）べく、他方のてこ片に対して相対的に回動自在で二つの腕部を具備する回動部材を備えたものである。二本の第二ブレーキワイヤのアウターが一方のてこ片に取り付けられ、それぞれのインナーが回動部材の各腕部に取り付けられている。この構成により、たとえば右側のブレーキワイヤの引き量が大きい場合に、回動部材は左側のブレーキワイヤの引き量を大きくする方向に自然に回動する。この回動部材の自動的（自然）な回動により、左右のブレーキワイヤの引き量を同程度に調整することができる。
【００２５】
ここで、二つの腕部を具備する回動部材の具体的な形態としては、回動部材がＴの字状を呈し、左右の張り出し部が腕部になっている形態や、回動部材がＹの字状を呈し、左右の傾斜方向への張り出し部が腕部になっている形態などを挙げることができる。
【発明の効果】
【００２６】
以上の説明から理解できるように、本発明による三輪車のブレーキ機構によれば、三輪車の前二輪もしくは後二輪を制動する機構としててこ部材を適用したことにより、ブレーキレバーを引いた際に受ける負荷を容易に設定することができる。
【図面の簡単な説明】
【００２７】
【図１】本発明の前二輪固定機構を具備する前二輪型三輪車の全体を模擬した斜視図である。
【図２】前二輪型三輪車を前方から見た正面図である。
【図３】前二輪型三輪車を前方斜めから見て、かつ、てこ部材の実施の形態１を拡大して示した図である。
【図４】（ａ）、（ｂ）はてこ部材の実施の形態２，３を示した模式図である。
【図５】てこ部材の実施の形態４を示した模式図である。
【図６】ロック部を拡大した図であって、ロック部が解除されている状態を示した図である。
【図７】ロック部を拡大した図であって、ロック部が操作されている状態を示した図である。
【図８】ステアリング軸固定部を斜め前方から見た斜視図である。
【図９】ステアリング軸固定部を斜め後方から見た斜視図である。
【図１０】傾動アーム固定部を斜め前方から見た斜視図である。
【発明を実施するための形態】
【００２８】
以下、図面を参照して、本発明の三輪車のブレーキ機構の実施の形態を説明する。なお、図示する三輪車は前二輪型三輪車であるが、本発明のブレーキ機構が後二輪型三輪車の後二輪に適用できることは勿論のことである。また、図示例は二つの車輪のリムを制動する構造のブレーキを示しているが、本発明のブレーキ機構で適用されるブレーキはドラムブレーキでもディスクブレーキでもよいことは勿論のことである。
【００２９】
（前二輪型三輪車について）
図１は前二輪型三輪車の全体を模擬した斜視図であり、図２は前二輪型三輪車を前方から見た正面図である。
【００３０】
図示する前二輪型三輪車１０は、フレーム体を構成するメインパイプ１ｄの前方にヘッドパイプ１ｃが接続され、メインパイプ１ｄの後方には縦パイプ１ｅが接続され、右ハンドル１ａと左ハンドル１ａａが取り付けられたステアリング軸１ｂがヘッドパイプ１ｃに回転自在に遊嵌され、ステアリング軸１ｂには傾動アーム４を介して二基の前二輪２Ａ，２Ｂが取り付けられ、ペダル１ｈの踏込みによって回動するチェーン１ｉを介して駆動力が伝達される後輪２Ｃが取り付けられてその全体が大略構成されている。なお、図示する前二輪型三輪車１０は、バッテリ１ｊを備えた電動アシストユニットが搭載された電動アシスト三輪車である。
【００３１】
縦パイプ１ｅにはシートポスト１ｆが昇降自在に取り付けられ、シートポスト１ｆの頂部にサドル１ｇが接続されている。
【００３２】
ステアリング軸１ｂに取り付けられた右ハンドル１ａと左ハンドル１ａａは、側方に広がった後、直上に立ち上がり、乗員側に延びて構成されており、右ハンドル１ａには前二輪２Ａ，２Ｂ用のブレーキレバー１ａ’が取り付けられ、左ハンドル１ａａには後輪２Ｃ用のブレーキレバー１ａａ’が取り付けられている。そして、右ハンドル１ａ、左ハンドル１ａａの間の空間であって前二輪２Ａ，２Ｂの直上には前バスケット１ｋが配設されている（図示する前バスケット１ｋは幼児シート兼用のバスケットであり、一つの実施例である）。
【００３３】
右ハンドル１ａの立ち上がりパイプには、ステアリング軸１ｂの回転（Ｚ１方向）と傾動アーム４の曲線軌跡上の移動（Ｚ２方向）を同時に、もしくはほぼ同時に固定する際にロック操作するためのレバーから構成されたロック部６が取り付けられている。
【００３４】
ロック部６がハンドル１ａの途中位置に取り付けられていることで、乗員は手を伸ばして臨機にステアリング軸１ｂと傾動アーム４の固定を図ることができる。
【００３５】
前二輪２Ａ，２Ｂにはそれぞれ、各前輪２Ａ，２Ｂの輪軸に接続されて前輪２Ａ，２Ｂの上部を跨ぐＵ型のホーク１ｐが取り付けられ、左右のホーク１ｐに対して、傾動アーム４を構成する上傾動アーム４Ａと下傾動アーム４Ｂが回動軸を介して回動自在に接続されている。なお、接続アーム４Ｄに対して、上傾動アーム４Ａと下傾動アーム４Ｂがそれらの中央位置で回動自在に接続されている。
【００３６】
したがって、前二輪型三輪車１０を傾けた際に、上傾動アーム４Ａと下傾動アーム４Ｂが曲線軌跡上で移動し、左右のホーク１ｐが傾斜することで前二輪２Ａ，２Ｂの傾動が図られる。
【００３７】
図２で示すように、上傾動アーム４Ａには、上方に突出するリング状のディスク４Ｃが固定されており、このディスク４Ｃが後に詳細に説明する傾動アーム固定部にて固定（ロック）されるようになっている。
【００３８】
左右のホーク１ｐには、前輪２Ａ，２Ｂを跨いで配設され、ブレーキ３を構成する二つのアーム３ａ，３ｂのうちの一方のアーム３ｂが接続されている。二つのアーム３ａ、３ｂは前二輪２Ａ，２Ｂの直上で回動軸を介して接続されており、各アーム３ａ、３ｂの先端内側にはブレーキシュー３ｃが取り付けられ、ブレーキ操作の際にブレーキシュー３ｃが前輪２Ａ，２Ｂのリム２Ａ’、２Ｂ’に摺接して制動が実行される。なお、ブレーキ３と、ブレーキ３を駆動するてこ部材５と、から、後に詳細に説明するブレーキ機構３０が構成される。
【００３９】
傾動アーム４を構成する接続アーム４Ｄには後に詳細に説明するてこ部材５が取り付けられており、てこ部材５の先端には前二輪用のブレーキレバー１ａ’に通じる第一ブレーキワイヤ９ａが取り付けられ、てこ部材５の後方（後輪側）の二箇所には、二基のブレーキ３にそれぞれ通じる第二ブレーキワイヤ９ｂが取り付けられている。
【００４０】
（ブレーキ機構について）
図３，４，５を参照して、ブレーキ機構を構成する実施の形態１〜４について詳細に説明する。ここで、図３は前二輪型三輪車の前方を斜めから見て、かつ、てこ部材の実施の形態１を拡大して示した図であり、図４（ａ）、（ｂ）はそれぞれてこ部材の実施の形態２，３を示した模式図であり、図５はてこ部材の実施の形態４を示した模式図である。
【００４１】
＜てこ部材およびブレーキ機構の実施の形態１＞
図２で示すように、ブレーキ機構３０は、ブレーキ３とてこ部材５から構成される。図３で示すようにてこ部材５は、上下二つの上てこ５ａ（てこ片）と下てこ５ｂ（てこ片）が回転軸５ｃを中心に相互に回転自在に組み付けられており（Ｘ１方向に回動）、上てこ５ａの前方（三輪車の前進方向）には一つの第一ブレーキワイヤ取り付け箇所５ｄが設けてあり、上てこ５ａの後方端には一組の第二ブレーキワイヤ取り付け箇所５ｅが設けてある。
【００４２】
第一ブレーキワイヤ９ａのアウター９ａ’（ワイヤ）の先端は第一ブレーキワイヤ取り付け箇所５ｄに突き当たって取り付けられ、アウター９ａ’から突出したインナー９ａ”（ワイヤ）は下方の下てこ５ｂにあるワイヤ先端固定部５ｆで挟持され、固定されている。
【００４３】
ブレーキレバー１ａ’の操作により、てこ部材５は、回転軸５ｃを中心に上てこ５ａと下てこ５ｂが相互に回転し、洗濯バサミのように動く。
【００４４】
なお、てこ部材５の後方において、接続アーム４Ｄにはブロック体８ｃが取り付けられており、ブロック体８ｃの下方には、後に詳細に説明する傾動アーム固定部８ａが取り付けられ、ブロック体８ｃの上方には、後に詳細に説明するステアリング軸固定部７が取り付けられている。そして、ステアリング軸固定部７と傾動アーム固定部８ａから前二輪固定機構２０が構成されている。
【００４５】
図示するてこ部材５を適用することにより、てこの原理を利用して、ブレーキ操作の際に乗員が受ける負荷を所望に設定することが可能になる。すなわち、回転軸５ｃから第一ブレーキワイヤ取り付け箇所５ｄまでの距離L1、回転軸５ｃから第二ブレーキワイヤ取り付け箇所５ｅまでの距離L2を適宜設定することで、乗員が受ける負荷を所望に設定可能となる。
【００４６】
＜てこ部材およびブレーキ機構の実施の形態２＞
図４（ａ）で示すブレーキ機構３０Ａを構成するてこ部材５Ａでは、上てこ５ａの前方（三輪車の前進方向）には三つの第一ブレーキワイヤ取り付け箇所５ｄ’が設けてあり、上てこ５ａの後方端には二組の第二ブレーキワイヤ取り付け箇所５ｅ’が設けてある。
【００４７】
三つの第一ブレーキワイヤ取り付け箇所５ｄ’と二組の第二ブレーキワイヤ取り付け箇所５ｅ’が設けてあることで、回転軸５ｃから第一ブレーキワイヤ取り付け箇所５ｄ’および／または第二ブレーキワイヤ取り付け箇所５ｅ’までの距離が変更自在となっている（これら複数のブレーキワイヤ取り付け箇所５ｄ’、５ｅ’は変更手段である）。
【００４８】
第一ブレーキワイヤ取り付け箇所５ｄ’に関し、回転軸５ｃから近い順にそれぞれ、回転軸５ｃからの距離がL1、L1’、L1”となっており、第二ブレーキワイヤ取り付け箇所５ｅ’に関しては、回転軸５ｃから近い順にそれぞれ、回転軸５ｃからの距離がL2、L2’となっている。
【００４９】
このように、回転軸５ｃからの距離が異なる複数の第一ブレーキワイヤ取り付け箇所５ｄ’と第二ブレーキワイヤ取り付け箇所５ｅ’を備えていることで、ブレーキレバー１ａ’を操作する際の乗員に与える負荷の程度を調整することが可能になる。
【００５０】
たとえば、第一ブレーキワイヤ取り付け箇所５ｄ’を回転軸５ｃから最も長い距離L1”の場所に設定し、第二ブレーキワイヤ取り付け箇所５ｅ’を回転軸５ｃから最も短い距離L2の場所に設定することで、てこの原理により、乗員がブレーキレバー１ａ’を操作した際の負荷は最も少なくなる。逆に、第一ブレーキワイヤ取り付け箇所５ｄ’を回転軸５ｃから距離L1の場所に設定し、第二ブレーキワイヤ取り付け箇所５ｅ’を回転軸５ｃから距離L2’の場所に設定することで、乗員がブレーキレバー１ａ’を操作した際の負荷は最も大きくなる。
【００５１】
ブレーキ機構３０を設けることにより、乗員が感じる負荷の程度に応じて、乗員が適度の負荷を受ける位置に第一ブレーキワイヤ取り付け箇所５ｄ’と第二ブレーキワイヤ取り付け箇所５ｅ’を設定することが可能になる。なお、第一ブレーキワイヤ取り付け箇所５ｄ’と第二ブレーキワイヤ取り付け箇所５ｅ’の基数やそれぞれの回転軸５ｃからの距離は図示例に何ら限定されるものではなく、多様な形態が適用可能である。
【００５２】
＜てこ部材およびブレーキ機構の実施の形態３＞
図４（ｂ）で示すブレーキ機構３０Ｂを構成するてこ部材５Ｂは、変更手段である第一ブレーキワイヤ取り付け箇所５ｄがスライド部５ｇに固定されており、上てこ５ａに開設されたスライド溝５ａ’内をスライド部５ｇがスライドすることにより（Ｘ２方向）、第一ブレーキワイヤ取り付け箇所５ｄと回転軸５ｃの距離L1を適宜変更できる構成を有している。
【００５３】
スライド溝５ａ’には左右の溝壁にスリット５ａ”が設けてあり、スライド部５ｇの側方に張り出したピン５ｇ’の先端がスリット５ａ”に嵌り込み、適宜の場所で固定自在となっている。
【００５４】
なお、図示を省略するが、第二ブレーキワイヤ取り付け箇所５ｅもスライド部にてスライド自在に構成されていてもよい。また、第一ブレーキワイヤ取り付け箇所５ｄが図示例のようにスライド自在であり、第二ブレーキワイヤ取り付け箇所５ｅが図４（ａ）で示すように複数箇所に設けられた形態であってもよい。
【００５５】
＜てこ部材およびブレーキ機構の実施の形態４＞
このブレーキ機構３０Ｃは、使用によって一方のインナーワイヤが他方のインナーワイヤよりも少し伸びてしまった場合や、左右のブレーキのブレーキシューのうち、一方が他方に比して多く摩耗し、ブレーキワイヤの引き代に差が生じてしまった場合に、左右のブレーキワイヤの引き量を自動的（自然に）に同程度に調整する（左右のブレーキのばらつきを吸収する）ことを可能としたブレーキ機構である。このように左右の調整誤差を吸収できるため、厳密に左右均等に調整する必要がなくなる。
【００５６】
図５で示すブレーキ機構３０Ｃを構成するてこ部材５Ｃは、下てこ５ｂの後方に下てこ５ｂに対して相対的に回動自在な（Ｗ１方向）回動部材５ｈが取り付けられたものである。回動部材５ｈはＹの字状を呈しており、左右の傾斜方向へ張り出した２つの腕部５ｈ’を備えている。
【００５７】
上てこ５ａにおける二つの第二ブレーキワイヤ取り付け箇所５ｅに二基のブレーキに通じる二本の第二ブレーキワイヤ９ｂのアウター９ｂ'が取り付けられ、それぞれのインナー９ｂ"が回動部材５ｈの各腕部５ｈ'に取り付けられている。
【００５８】
この構成により、たとえば右側のブレーキワイヤ９ｂの引き量が大きい場合に、回動部材５ｈは左側のブレーキワイヤ９ｂの引き量を大きくする方向に自然に回動する。この回動部材５ｈの自動的（自然）な回動により、左右のブレーキワイヤ９ｂの引き量を同程度に調整することができる。
【００５９】
なお、図示を省略するが、図４で示す変更手段と図５で示す回動部材の双方が組み合わされたてこ部材とこのてこ部材を備えたブレーキ機構であってもよいことは勿論のことである。
【００６０】
（前二輪固定機構について）
図３で示す前二輪固定機構２０は、ステアリング軸１ｂの回転を固定するステアリング軸固定部７と、傾動アーム４の曲線軌跡上の移動を固定して前二輪２Ａ，２Ｂの所定の傾動姿勢を保持する傾動アーム固定部８ａとから構成される。以下、図６〜１０を参照して順に、ステアリング軸固定部７と傾動アーム固定部８ａを固定するロック部６、ステアリング軸固定部７、最後に傾動アーム固定部８ａを説明する。
【００６１】
＜ロック部について＞
図６はロック部を拡大した図であって、ロック部が解除されている状態を示した図であり、図７はロック部が操作されている状態を示した図である。
【００６２】
ロック部６は、右ハンドル１ａの立ち上がりパイプに取り付けられるギヤ６ａと、係合部６ｃが回動自在に装着されたレバー６ｂとから構成されている。
【００６３】
レバー６ｂの端部において、ステアリング軸固定部７に通じるステアリングワイヤ９ｃと、傾動アーム固定部８ａに通じる傾動アームワイヤ９ｄが取り付けられ、それぞれのワイヤ９ｃ、９ｄの上端が上方のギヤ６ａに延びて固定されている。なお、ステアリングワイヤ９ｃの途中位置には不図示のタイミング調整器が介在しており、ステアリングワイヤ９ｃと傾動アームワイヤ９ｄの同時引きのタイミングを調整するようになっている。
【００６４】
図６で示すロック部６の状態では、ステアリング軸固定部７と傾動アーム固定部８ａの双方のロックが解除されており、したがって、ステアリング軸１ｂは回転自由であり、傾動アーム４は曲線軌跡上を移動自在となっている。
【００６５】
図６で示すように、係合部６ｃを下方に引いて（Ｙ１方向）係合部６ｃのギヤ６ａへの係合を解除した後、レバー６ｂを上方に引き上げ（Ｙ２方向）、図６で示すごとくレバー６ｂの引き上げ状態にて係合部６ｃをギア６ａに係合させる。このことにより、ステアリングワイヤ９ｃと傾動アームワイヤ９ｄが同時に引き下げられ、双方のワイヤ９ｃ、９ｄの同時引きにより、前二輪固定機構２０を構成するステアリング軸固定部７と傾動アーム固定部８ａの同時固定もしくは略同時固定が図られる。なお、係合部の形態によっては最初の係合解除が不要な場合もある。
【００６６】
＜ステアリング軸固定部について＞
図８はステアリング軸固定部を斜め前方から見た斜視図であり、図９はステアリング軸固定部を斜め後方から見た斜視図である。
【００６７】
ステアリング軸固定部７は、回動軸７ｃを中心に回動自在で内側に不図示のパッドを備えた二つのアーム７ａ、７ｂから構成されている。二つのアーム７ａ，７ｂの一端は回動軸７ｃに固定され、二つのアーム７ａ，７ｂの他端においては、ステアリングワイヤ９ｃのアウターの端部がアーム７ｂに突き当たって固定され、アウターから突出したインナーがアーム７ａに固定され、ヘッドパイプ１ｃを挟んで双方のアーム７ａ，７ｂが配設されている。
【００６８】
回動軸７ｃにはバネ７ｇが配設されており、ステアリング軸１ｂが回動自在の状態では、バネ７ｇの付勢によって二つのアーム７ａ、７ｂがステアリング軸１ｂから離れた状態で位置決めされている。
【００６９】
アーム７ｂの他端には貫通孔７ｅが開設され、アーム７ａの他端にはステアリングワイヤ９ｃのインナーを挟む挟持部７ｆが設けてあり、ステアリングワイヤ９ｃが貫通孔７ｅに挿通され、挟持部７ｆでインナーが挟持されている。
【００７０】
ロック部６の操作によってステアリングワイヤ９ｃのアウターに対してインナーが引っ張られた際に、ステアリングワイヤ９ｃの動きに応じて二つのアーム７ａ、７ｂがバネ７ｇの付勢に抗して回動軸７ｃを中心に回動し、パッドを介してヘッドパイプ１ｃを挟むことでステアリング軸１ｂを固定する。
【００７１】
＜傾動アーム固定部について＞
図１０は傾動アーム固定部を斜め前方から見た斜視図である。
傾動アーム固定部８ａは、傾動アームワイヤ９ｄの先端が固定されたディスクキャリパー８ｂから構成されており、ディスクキャリパー８ｂの先端には不図示の突起（たとえばパッド）が設けられている。そして、上傾動アーム４Ａから上方に突出しているディスク４Ｃがディスクキャリパー８ｂの先端位置に配設されている。
【００７２】
ロック部６が操作されて傾動アームワイヤ９ｄのインナーが引かれると、傾動アームワイヤ９ｄの動きに応じてディスクキャリパー８ｂが操作される。
【００７３】
ロック部６が解除されている状態では、ディスクキャリパー８ｂはディスク４Ｃを挟持していない。そして、ロック部６の操作によってディスクキャリパー８ｂが回転すると、突起の位置が変更されてディスク４Ｃと摺接し、ディスク４Ｃを固定することで傾動アーム４の全体が固定される。
【００７４】
図示する前二輪固定機構２０によれば、ハンドル１ａ、１ａａが取り付けられたステアリング軸１ｂと前二輪２Ａ，２Ｂを傾動させる傾動アーム４の双方をロック部６を操作して同期して固定することにより、前二輪２Ａ，２Ｂの回転と傾動の二種類の動きを同時もしくはほぼ同時に固定（ロック）でき、前二輪２Ａ，２Ｂと後輪２Ｃの三点で前二輪型三輪車１０の停止姿勢を安定的に保持することが可能になる。したがって、ロック部６の操作により、三点で地面に接地している重量のある前二輪型三輪車１０を、その立ち姿勢を維持した状態で駐輪することが可能になる。
【００７５】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００７６】
１ａ…右ハンドル、１ａａ…左ハンドル、１ａ’，１ａａ’…ブレーキレバー、１ｂ…ステアリング軸、１ｃ…ヘッドパイプ、１ｄ…メインパイプ、１ｅ…縦パイプ、１ｆ…シートポスト、１ｇ…サドル、１ｈ…ペダル、１ｉ…チェーン、１ｊ…バッテリ、１ｋ…前バスケット、１ｐ…ホーク、２Ａ，２Ｂ…前輪（前二輪）、２Ｃ…後輪、３…ブレーキ、３ａ，３ｂ…アーム、３ｃ…ブレーキシュー、４…傾動アーム、４Ａ…上傾動アーム、４Ｂ…下傾動アーム、４Ｃ…ディスク、４Ｄ…接続アーム、５，５Ａ…てこ部材、５ａ…上てこ（てこ片）、５ｂ…下てこ（てこ片）、５ｃ…回転軸、５ｄ，５ｄ’… 第一ブレーキワイヤ取り付け箇所（変更手段）、５ｅ，５ｅ’…第二ブレーキワイヤ取り付け箇所（変更手段）、５ｆ…ワイヤ先端固定部、５ｇ…スライド部（変更手段）、５ｈ…回動部材、５ｈ’…腕部、６…ロック部、６ａ…ギヤ、６ｂ…レバー、６ｃ…係合部、７…ステアリング軸固定部、７ａ，７ｂ…アーム、７ｃ…回動軸、７ｅ…貫通孔、７ｆ…挟持部、７ｇ…バネ、８ａ…傾動アーム固定部、８ｂ…ディスクキャリパー、８ｃ…ブロック体、９ａ…第一ブレーキワイヤ、９ｂ…第二ブレーキワイヤ、９ｃ…ステアリングワイヤ（ワイヤ）、９ｄ…傾動アームワイヤ（ワイヤ）、１０…前二輪型三輪車、２０…前二輪固定機構、３０，３０Ａ…ブレーキ機構
【図１】
0006421085.tif 000002
【図２】
0006421085.tif 000003
【図３】
0006421085.tif 000004
【図４】
0006421085.tif 000005
【図５】
0006421085.tif 000006
【図６】
0006421085.tif 000007
【図７】
0006421085.tif 000008
【図８】
0006421085.tif 000009
【図９】
0006421085.tif 000010
【図１０】
0006421085.tif 000011